(57)【特許請求の範囲】
【請求項１】
弾性体によって形成され、且つ上面に使用者の頭部が載せられる枕本体と、
前記枕本体の内部の第１の高さ範囲内に並列配置された複数の第１の棒状部材からなる第１の棒状部材群と、
前記枕本体の内部の前記第１の高さ範囲とは異なる第２の高さ範囲内に並列配置された複数の第２の棒状部材からなる第２の棒状部材群と、
を備え、
前記複数の第２の棒状部材は、平面視において前記複数の第１の棒状部材と交差して配置され、
前記複数の第１の棒状部材、及び前記複数の第２の棒状部材は、前記枕本体よりも硬質な材料で作製され、
前記頭部の重さによる荷重を、前記第１の棒状部材と前記第２の棒状部材の交差部において分散して支持することを特徴とする枕。
【請求項２】
前記複数の第１の棒状部材は、第１の方向に沿って延び、且つ平面視において互いに平行に配置され、
前記複数の第２の棒状部材は、前記第１の方向とは異なる第２の方向に沿って延び、且つ平面視において互いに平行に配置されていることを特徴とする請求項１に記載の枕。
【請求項３】
前記第１の方向は枕の縦方向であり、且つ前記第２の方向は枕の横方向であることを特徴とする請求項２に記載の枕。
【請求項４】
前記複数の第１の棒状部材、及び前記複数の第２の棒状部材の少なくとも一部分は、前記枕本体に対して着脱自在な構成を有することを特徴とする請求項１乃至３の何れか一項に記載の枕。
【請求項５】
前記枕本体の内部の前記第１の高さ範囲を間に挟んで前記第２の高さ範囲とは高さ方向の反対側に位置する第３の高さ範囲内に並列配置された複数の第３の棒状部材からなる第３の棒状部材群を、さらに備え、
前記複数の第３の棒状部材は、前記枕本体よりも硬質な材料で作製され、且つ平面視において前記複数の第１の棒状部材と交差して配置され、
前記荷重を、前記第１の棒状部材と前記第３の棒状部材の交差部において分散して支持することを特徴とする請求項１乃至４の何れか一項に記載の枕。
【請求項６】
前記複数の第３の棒状部材は、平面視において前記複数の第２の棒状部材が並列配置された範囲とは重ならない範囲内に並列配置されていることを特徴とする請求項５に記載の枕。
【請求項７】
前記複数の第３の棒状部材は、平面視において前記複数の第２の棒状部材が並列配置された範囲と重なった範囲内に並列配置されており、
前記複数の第３の棒状部材、及び前記複数の第３の棒状部材の配置範囲と重なった範囲内に配置された前記第２の棒状部材は、前記枕本体に対して着脱自在な構成を有することを特徴とする請求項５に記載の枕。
【発明の詳細な説明】
【技術分野】
【０００１】
本発明は、複数の棒状部材群を枕本体の内部に配置した枕に関する。
【背景技術】
【０００２】
枕は睡眠の質を大きく左右する寝具である。人間の頭部の重さは平均５ｋｇ程度といわれており、枕を柔軟にして沈み込み量を深くすると反発力が不足し、頭部の重さによって頸部に過剰な負担が掛かり、寝心地が損なわれてしまう。反対に、枕を硬くして反発力を高めると沈み込み量が不足し、且つ後頭部や側頭部に対する違和感が強まるために寝心地が損なわれてしまう。
従って、枕の沈み込み量や反発力を使用者の好みに合わせることにより寝心地が向上し、睡眠の質を高めることができる。
【０００３】
特許文献１には、軟質の弾性発泡樹脂材によって作製された枕本体と、枕の内部の下側部分において、枕の横方向に沿って延び、且つ枕の縦方向に沿って平行に配置された４本の丸棒形状のプラグと、を備えた枕が記載されている。
特許文献１に記載された枕では硬さが異なる複数種類のプラグが予め用意されており、使用者がプラグを選択して交換することによって枕の硬さを調整できる。
【先行技術文献】
【特許文献】
【０００４】
【特許文献１】特表平９−５１１６７０号公報
【発明の概要】
【発明が解決しようとする課題】
【０００５】
特許文献１の枕では、枕の上面に頭部が載せられたときに頭部の重さに起因する下向きの荷重を柔軟な枕本体と個々のプラグとによって受け止めているため、頭部の重さに対抗するためにはプラグの硬度を高くする必要がある。
プラグの硬度を高くすると、枕の上面に頭部を載せたときに、プラグの硬さによって後頭部や側頭部に対する押圧感（違和感）が強まるために寝心地が損なわれてしまう。
本発明は、このような事情に鑑みてなされたものであり、その目的は、寝心地を向上させることにある。
【課題を解決するための手段】
【０００６】
上記課題を解決するために、本発明に係る枕は、弾性体によって形成され、且つ上面に使用者の頭部が載せられる枕本体と、前記枕本体の内部の第１の高さ範囲内に並列配置された複数の第１の棒状部材からなる第１の棒状部材群と、前記枕本体の内部の前記第１の高さ範囲とは異なる第２の高さ範囲内に並列配置された複数の第２の棒状部材からなる第２の棒状部材群と、を備え、前記複数の第２の棒状部材は、平面視において前記複数の第１の棒状部材と交差して配置され、前記複数の第１の棒状部材、及び前記複数の第２の棒状部材は、前記枕本体よりも硬質な材料で作製され、前記頭部の重さによる荷重を、前記第１の棒状部材と前記第２の棒状部材の交差部において分散して支持することを特徴とする。
【発明の効果】
【０００７】
本発明に係る枕によれば、寝心地を向上させることができる。
【図面の簡単な説明】
【０００８】
【図１】第１実施形態に係る枕の外観を示す斜視図である。
【図２】第１実施形態に係る枕の内部構造を示す透視図である。
【図３】（ａ）は第１の棒状部材の種類を示す斜視図、（ｂ）は第１の棒状部材の種類を示す斜視図である。
【図４】各棒状部材群に作用する荷重を模式的に示す図である。
【図５】各棒状部材群を構成する各棒状部材の本数を減らした状態を示す図である。
【図６】第１実施形態の変形例に係る枕の外観を示す斜視図である。
【図７】第１実施形態の変形例に係る枕の内部構造を示す透視図である。
【図８】第２実施形態に係る枕の内部構造を示す透視図である。
【図９】第２実施形態に係る枕のＡ−Ａ断面図である。
【図１０】第２実施形態に係る枕の作用を示す図である。
【図１１】第２実施形態の変形例に係る枕の内部構造を示す透視図である。
【図１２】第２実施形態の変形例に係る枕のＢ−Ｂ断面図である。
【図１３】第３実施形態に係る枕を示す断面図である。
【図１４】第４実施形態に係る枕を示す断面図である。
【図１５】第５実施形態に係る枕を示す透視図である。
【図１６】第６実施形態に係る枕を示す透視図である。
【図１７】棒状部材の変形例を示す斜視図である。
【発明を実施するための形態】
【０００９】
以下、本発明の実施形態について、図面を参照して説明する。但し、各実施の形態に記載される構成要素、種類、組み合わせ、形状、その相対配置などは特定的な記載がない限り、この発明の範囲をそれのみに限定する主旨ではなく単なる説明例に過ぎない。
図１は第１実施形態に係る枕１Ａの外観を示す斜視図、図２は第１実施形態に係る枕１Ａの内部構造を示す透視図、図３は第１の棒状部材２１Ａ、及び第２の棒状部材３１Ａの種類を示す斜視図、図４は各棒状部材群２２，３２に作用する荷重を模式的に示す図である。
【００１０】
＜第１実施形態に係る枕１Ａの特徴＞
図１、及び図２に示す枕１Ａは、例えば、発泡樹脂製の弾性体によって形成された枕本体１１と、枕本体１１の内部における上側部分１１Ｕ（第１の高さ範囲）内に並列配置された複数の第１の棒状部材２１Ａからなる第１の棒状部材群２２と、枕本体１１の内部における下側部分１１Ｌ（第１の高さ範囲とは異なる第２の高さ範囲）内に並列配置された複数の第２の棒状部材３１Ａからなる第２の棒状部材群３２と、を備えている。第１の棒状部材群２２と第２の棒状部材群３２は、上下方向に多少の間隔（例えば１ｃｍ乃至３ｃｍ程度の間隔）を隔てて配置されている。言い換えれば、第１の棒状部材群２２と第２の棒状部材群３２との間には枕本体１１の一部分が介在している。
後述するように、各第１の棒状部材２１Ａ（２１ａ乃至２１ｃ、図３（ａ）を参照）、及び各第２の棒状部材３１Ａ（３１ａ乃至３１ｃ、図３（ｂ）を参照）は、例えば、木材、樹脂、及び金属といった枕本体１１よりも硬質な材料で作製されている。
【００１１】
複数の第２の棒状部材３１Ａは、平面視において複数の第１の棒状部材２１Ａと交差して配置されている。このため、図４に示すように、使用者の頭部ＨＤが枕１Ａの上面に載せられると、枕１Ａには頭部ＨＤの重さによって下向きの荷重が加わる。なお、図４では荷重の大きさを円の直径で表している。
円の直径から理解できるように、枕１Ａに加わる下向きの荷重は頭部ＨＤに近い部位ほど大きい。このため、複数の第１の棒状部材２１Ａは下向きの荷重によって頭部ＨＤに対向する部分を中心に下方向に撓む。
【００１２】
複数の第１の棒状部材２１Ａが撓むことにより、複数の第１の棒状部材２１Ａの下方に位置する複数の第２の棒状部材３１Ａが荷重を受ける。言い換えれば、頭部ＨＤの重さによる下向きの荷重は、複数の第１の棒状部材２１Ａと複数の第２の棒状部材３１Ａとが受ける。各第１の棒状部材２１Ａ、及び各第２の棒状部材３１Ａは荷重の伝搬部材として機能し、且つ平面視において互いに交差しているため、荷重は各第１の棒状部材２１Ａ、及び各第２の棒状部材３１Ａが分散して受ける。
荷重が分散されることにより、頭部ＨＤに与えられる押圧感が低減されるため、寝心地を向上させることができる。
【００１３】
＜第１実施形態に係る枕１Ａの詳細＞
以下、第１実施形態に係る枕１Ａの詳細について説明する。図１に示す枕１Ａは、枕本体１１と、硬質シート４１と、第１の棒状部材群２２と、第２の棒状部材群３２とを備えている。
【００１４】
＜枕本体１１＞
枕本体１１は、例えば発泡ウレタン製の弾性体によって作製されており、枕本体１１の底面１１ｂの形状は、例えば横方向の幅が６３ｃｍ、縦方向の長さが４３ｃｍである横長四角形状であるが、これらの寸法に限定されない。
【００１５】
枕本体１１は、上面１１ａにおける縦方向の中間部分に、横方向に沿って延びる湾曲凹形状の凹部１１ｃを設けている。そして、凹部１１ｃよりも縦方向の一側（首元側）には、凹部１１ｃよりも肉厚の首元側突部１１ｄを横方向に沿って設けており、凹部１１ｃよりも縦方向の他側（頭頂側）には、首元側突部１１ｄよりも肉厚の頭頂側突部１１ｅを横方向に沿って設けている。便宜上、以下の説明では、枕本体１１における首元側突部１１ｄ側の面を枕本体１１の正面（すなわち、枕１Ａの正面）といい、枕本体１１における頭頂側突部１１ｅ側の面を枕本体１１の背面（すなわち、枕１Ａの背面）という。
枕本体１１において、凹部１１ｃの最薄部の厚さは５ｃｍであり、首元側突部１１ｄの最厚部の厚さは６ｃｍであり、頭頂側突部１１ｅの最厚部の厚さは１０ｃｍであるが、各部の厚さはこれらの寸法に限定されない。さらに、首元側突部１１ｄの最厚部の厚さが、頭頂側突部１１ｅの最厚部の厚さよりも大きくなっていてもよい。この点は、後述する他の枕１Ｂ乃至１Ｆにおいても同様である。
【００１６】
枕本体１１には、第１の棒状部材群２２を構成する複数（６本）の第１の棒状部材２１Ａを並列配置するため、複数の第１の貫通孔１２Ａを設けている。
各第１の貫通孔１２Ａは、枕本体１１を縦方向に沿って貫く円形断面の孔であり、孔の直径は例えば１．１ｃｍ乃至１．２ｃｍである。各第１の貫通孔１２Ａは、例えば枕本体１１の底面１１ｂから円形断面の中心までの高さが４ｃｍとなる位置に、横方向に沿って９ｃｍの間隔を隔てて合計６個設けられている。なお、各第１の貫通孔１２Ａは、枕本体１１の底面１１ｂに対して平行に設けられている。
ここで、各第１の貫通孔１２Ａの本数、直径、及び高さは一例であり、上述した各数値に限定されない。例えば、各第１の貫通孔１２Ａの直径を１．６ｃｍ乃至１．７ｃｍとしてもよい。この点は、後述する他の枕１Ｂ乃至１Ｈにおいても同様である。
【００１７】
各第１の貫通孔１２Ａは、線状の切断刃を枕本体１１の上面１１ａ側から挿入し、当該切断刃を各第１の貫通孔１２Ａの輪郭に沿って移動させることにより設けられる。従って、枕本体１１の上面１１ａと各第１の貫通孔１２Ａとの間には第１のスリット１３Ａが形成される。各第１の棒状部材２１Ａは、第１のスリット１３Ａを通じて対応する第１の貫通孔１２Ａに対して着脱自在に装着される。
なお、各第１の貫通孔１２Ａに関し、線状の切断刃を枕本体１１の底面１１ｂ側から挿入して設けてもよいし、枕本体１１の側面から筒状の切断刃を挿入して設けてもよい。この点は、後述する他の枕１Ｂ乃至１Ｈにおいても同様である。
【００１８】
枕本体１１には、第２の棒状部材群３２を構成する複数（５本）の第２の棒状部材３１Ａを並列配置するため、複数の第２の貫通孔１４Ａを設けている。第１実施形態に係る枕１Ａにおいて、複数の第２の棒状部材３１Ａは、複数の第１の棒状部材２１Ａに対して、平面視において直交した角度で配置されている。
各第２の貫通孔１４Ａは、枕本体１１を横方向に沿って貫く円形断面の孔であり、孔の直径は例えば１．１ｃｍ乃至１．２ｃｍである。各第２の貫通孔１４Ａは、例えば枕本体１１の底面１１ｂから円形断面の中心までの高さが２ｃｍとなる位置に、縦方向に沿って７ｃｍの間隔を隔てて合計５個設けられている。なお、各第２の貫通孔１４Ａは、枕本体１１の底面１１ｂに対して平行に設けられている。
ここで、各第２の貫通孔１４Ａの本数、直径、及び高さは一例であり、上述した各数値に限定されない。例えば、各第２の貫通孔１４Ａの直径を１．６ｃｍ乃至１．７ｃｍとしてもよい。この点は、後述する他の枕１Ｂ乃至１Ｈにおいても同様である。
【００１９】
各第２の貫通孔１４Ａは、線状の切断刃を枕本体１１の底面１１ｂ側から挿入し、当該切断刃を各第２の貫通孔１４Ａの輪郭に沿って移動させることにより設けられる。従って、枕本体１１の底面１１ｂと各第２の貫通孔１４Ａとの間には第２のスリット１５Ａが形成される。
後述する硬質シート４１が枕本体１１の底面１１ｂに対して接着されているときには、各第２の棒状部材３１Ａは対応する第２の貫通孔１４Ａに対し、第２の貫通孔１４Ａの両端開口を通じて着脱自在に取り付けられる。一方、硬質シート４１が枕本体１１の底面１１ｂに対して着脱自在に取り付けられているときには、各第２の棒状部材３１Ａは、硬質シート４１を取り外した枕本体１１の底部１１ｂ側から、各第２のスリット１５Ａを通じて対応する第２の貫通孔１４Ａに対して着脱自在に装着される。
なお、各第２の貫通孔１４Ａに関し、線状の切断刃を枕本体１１の上面１１ａ側から挿入して設けてもよいし、枕本体１１の側面から筒状の切断刃を挿入して設けてもよい。この点は、後述する他の枕１Ｂ乃至１Ｈにおいても同様である。
【００２０】
各第１の貫通孔１２Ａの最下部と各第２の貫通孔１４Ａの最上部との間には１ｃｍ程度の間隔が隔てられているため、両貫通孔１２Ａ、１４Ａの間には枕本体１１の一部分が介在する。言い換えれば、各第１の貫通孔１２Ａに装着された各第１の棒状部材２１Ａと各第２の貫通孔１４Ａに装着された各第２の棒状部材３１Ａとは、枕本体１１の一部分を介して近接配置されている。
【００２１】
＜硬質シート４１＞
硬質シート４１は、枕本体１１よりも硬質なシート材によって作製されており、枕本体１１の底面１１ｂの下方に配置される。硬質シート４１は、例えば枕本体１１の底面１１ｂに対して接着剤によって固定されるが、スナップボタンや面ファスナー等を用いて底面１１ｂに対して着脱自在に取り付けてもよい。
本実施形態の硬質シート４１は、硬質のウレタン製シート材が用いられており、横方向の幅が６３ｃｍ、縦方向の長さが４３ｃｍ、厚さが１ｃｍの横長四角形状をしているが、これらの寸法に限定されない。
硬質シート４１を枕本体１１の底面１１ｂに配置することにより、枕１Ａの底部を枕本体１１よりも硬くできるため、柔軟な敷き布団やマットレスの上に枕１Ａを載せた状態であっても、頭部ＨＤ（図４を参照）の重さによる下向きの荷重に対して反力が得られ、頭部ＨＤを安定的に支持できる。
【００２２】
＜第１の棒状部材２１Ａ、及び第２の棒状部材３１Ａ＞
図１、及び図２に示すように、第１の棒状部材２１Ａは、第１の貫通孔１２Ａとほぼ同じ形状とされた棒状の部材によって作製されている。本実施形態における第１の棒状部材２１Ａは、直径が１ｃｍ、長さが４２ｃｍの丸棒である。なお、第１の貫通孔１２Ａの直径が１．６ｃｍ乃至１．７ｃｍとされた場合には、第１の棒状部材２１Ａの直径は１．５ｃｍとされる。
図３（ａ）は、第１の棒状部材２１Ａの種類を示している。これらの第１の棒状部材２１ａ乃至２１ｃは何れも枕本体１１よりも硬質な材料で作製されている。例えば、第１の棒状部材２１ａはＥＶＡ（エチレン酢酸ビニル）製の丸棒によって作製され、第１の棒状部材２１ｂは第１の棒状部材２１ａよりも硬質な木製の丸棒によって作製され、第１の棒状部材２１ｃは第１の棒状部材２１ｂよりも硬質な金属製の丸パイプによって作製されている。なお、第１の棒状部材２１Ａは、これらの棒状部材２１ａ乃至２１ｃに限定されない。例えば、第１の棒状部材２１Ａは、枕本体１１よりも硬質の合成樹脂で作製された丸パイプであってもよい。
また、図３（ａ）には、第１の棒状部材２１Ａを抜き取った後の第１の貫通孔１２Ａに挿入される第１の閉塞部材２３も示されている。第１の閉塞部材２３は枕本体１１と同じ材質とされた棒状の部材であり、例えば枕本体１１に対して第１の貫通孔１２Ａを作製したときに、第１の貫通孔１２Ａから抜き取った棒状の部材によって作製される。
【００２３】
図１、及び図２に示すように、第２の棒状部材３１Ａは、第２の貫通孔１４Ａとほぼ同じ形状の棒状部材によって作製されている。本実施形態における第２の棒状部材３１Ａは、例えば直径が１ｃｍ、長さが６２ｃｍの丸棒である。なお、第２の貫通孔１４Ａの直径が１．６ｃｍ乃至１．７ｃｍとされた場合には、第２の棒状部材３１Ａの直径は１．５ｃｍとされる。
図３（ｂ）は、第２の棒状部材３１Ａの種類を示している。第１の棒状部材２１Ａと同様に、第２の棒状部材３１ａはＥＶＡ製の丸棒によって作製され、第２の棒状部材３１ｂは木製の丸棒によって作製され、第２の棒状部材３１ｃは金属製の丸パイプによって作製されている。なお、第２の棒状部材３１Ａもまた、これらの棒状部材３１ａ乃至３１ｃに限定されない。例えば、第２の棒状部材３１Ａは、枕本体１１よりも硬質の合成樹脂で作製された丸パイプであってもよい。
また、図３（ｂ）には、第２の棒状部材３１Ａを抜き取った後の第２の貫通孔１４Ａに挿入される第２の閉塞部材３３も示されている。第２の閉塞部材３３も第１の閉塞部材２３と同様に、枕本体１１と同じ材質とされた棒状の部材であり、例えば第２の貫通孔１４Ａから抜き取った棒状の部材によって作製される。
【００２４】
＜第１実施形態に係る枕１Ａの作用効果＞
図４に示すように、使用者の後頭部ＨＤが枕１Ａ（枕本体１１）の上面に載せられると、枕１Ａには頭部ＨＤの重さによって下向きの荷重が加わる。この枕１Ａによれば、枕本体１１の内部に並列配置された各第１の棒状部材２１Ａと各第２の棒状部材３１Ａとが荷重の伝搬部材として機能し、頭部ＨＤの重さに起因する荷重を分散して支持する。各第１の棒状部材２１Ａと各第２の棒状部材３１Ａとによって、後頭部ＨＤに対する圧力の集中を和らげることができるので、後頭部や側頭部に対する違和感を低減することができ、寝心地を向上させることができる。
【００２５】
また、この枕１Ａでは、複数の第１の棒状部材２１Ａが平面視において互いに平行に且つ等間隔で配置され、複数の第２の棒状部材３１Ａが平面視において互いに平行に且つ等間隔で配置されているので、頭部ＨＤの重さによる下向きの荷重を効率よく分散させることができる。
さらに、この枕１Ａでは、複数の第１の棒状部材２１Ａが枕１の縦方向に沿って配置され、且つ複数の第２の棒状部材３１Ａが枕１の横方向に沿って配置されているので、格子状に配置された各第１の棒状部材２１Ａ、及び各第２の棒状部材３１Ａによって頭部ＨＤの重さによる下向きの荷重を効率よく分散させることができる。
【００２６】
さらに、この枕１Ａでは、複数の第１の棒状部材２１Ａ、及び複数の第２の棒状部材３１Ａが枕本体１１に対して着脱自在な構成を有している。
この構成を有することにより、例えば図５に示すように、この枕１Ａでは、特定の第１の棒状部材２１Ａに替えて、第１の閉塞部材２３を第１の貫通孔１２Ａ（図１を参照）に挿入し、且つ特定の第２の棒状部材３１Ａに替えて、第２の閉塞部材３３を第２の貫通孔１４Ａ（図１を参照）に挿入することにより、枕１Ａの硬さを使用者の好みに応じて調整することができる。
また、この枕１Ａでは、枕１Ａの右側部分を左側部分よりも硬くしたり、枕１Ａの首元側部分を頭頂側部分よりも硬くする等、枕１Ａにおける硬い部分の場所と柔らかい部分の場所に変化を与えることもできる。
さらに、この枕１Ａでは、一部の第１の棒状部材２１Ａ、及び一部の第２の棒状部材３１Ａを抜き取り、空洞にした第１の貫通孔１２Ａ、及び第２の貫通孔１４Ａを通気用の孔として用いてもよい。このように構成することにより、枕１Ａでは、枕１Ａの内部に籠もった熱や湿気を外部に放出しやすくなる。また、各棒状部材２１Ａ、３１Ａとして金属製の丸パイプで作製された棒状部材２１ｃ、３１ｃを使用することにより、枕１Ａの内部に籠もった熱を外部に放出しやすくなる。これらの点は、後述する他の枕１Ｂ乃至１Ｈにおいても同様である。
【００２７】
＜第１実施形態の変形例に係る枕１Ｂ＞
次に、第１実施形態の変形例に係る枕１Ｂについて説明する。図６は、第１実施形態の変形例に係る枕１Ｂの外観を示す斜視図、図７は第１実施形態の変形例に係る枕１Ｂの内部構造を示す透視図である。なお、変形例に係る枕１Ｂにおいて、第１実施形態に係る枕１Ａと同じ構成については同じ符号を付して説明を省略する。
図６と図１とを比較し、且つ図７と図２を比較すると明らかなように、変形例に係る枕１Ｂにおいて、枕本体１１の外形輪郭は第１実施形態と同じであるが、各第１の棒状部材２１Ｂの向き、及び各第２の棒状部材３１Ｂの向きが第１実施形態に係る枕１Ａ（各第１の棒状部材２１Ａ、各第２の棒状部材３１Ａ）と相違している。これに伴い、各第１の貫通孔１２Ｂの向き、及び各第２の貫通孔１４Ｂの向きも、各第１の貫通孔１２Ａ、及び各第２の貫通孔１４Ａとは相違している。
【００２８】
複数の第１の棒状部材２１Ｂは、横方向に沿って配置され、且つ縦方向に沿って間隔を隔てて互いに平行に配置されている。従って、第１の貫通孔１２Ｂも枕本体１１の横方向に沿って枕本体１１を貫通し、且つ枕本体１１の縦方向に沿って間隔を隔てて平行に設けられている。
各第１の貫通孔１２Ｂは円形断面の孔であり、孔の直径は例えば１．１ｃｍ乃至１．２ｃｍである。そして、各第１の貫通孔１２Ｂは、例えば枕本体１１の底面１１ｂから円形断面の中心までの高さが４ｃｍとなる位置に、縦方向に沿って７ｃｍの間隔を隔てて合計５個設けられている。なお、各第１の貫通孔１２Ｂは、枕本体１１の底面１１ｂに対して平行に設けられている。
各第１の貫通孔１２Ｂは、線状の切断刃を枕本体１１の上面側から挿入し、当該切断刃を各第１の貫通孔１２Ｂの輪郭に沿って移動させることにより設けられる。従って、各第１のスリット１３Ｂは枕本体１１の横方向に沿って設けられる。変形例の枕１Ｂにおいて、各第１の棒状部材２１Ｂは、対応する第１の貫通孔１２Ｂに対して着脱自在に取り付けられる。
【００２９】
複数の第２の棒状部材３１Ｂは、縦方向に沿って配置され、且つ横方向に沿って間隔を隔てて互いに平行に配置されている。従って、第２の貫通孔１４Ｂも枕本体１１の縦方向に沿って枕本体１１を貫通し、且つ枕本体１１の横方向に沿って間隔を隔てて平行に設けられている。
各第２の貫通孔１４Ｂは円形断面の孔であり、孔の直径は例えば１．１ｃｍ乃至１．２ｃｍである。そして、各第２の貫通孔１４Ｂは、例えば枕本体１１の底面１１ｂから円形断面の中心までの高さが２ｃｍとなる位置に、横方向に沿って９ｃｍの間隔を隔てて合計６個設けられている。なお、各第２の貫通孔１４Ｂは、枕本体１１の底面１１ｂに対して平行に設けられている。
各第２の貫通孔１４Ｂは、線状の切断刃を枕本体１１の底面１１ｂ側から挿入し、当該切断刃を各第２の貫通孔１４Ｂの輪郭に沿って移動させることにより設けられる。従って、各第２のスリット１５Ｂは枕本体１１の縦方向に沿って設けられる。変形例の枕１Ｂにおいて、各第２の棒状部材３１Ｂは、対応する第２の貫通孔１４Ｂに対して着脱自在に取り付けられる。
【００３０】
以上の構成を備えた変形例に係る枕１Ｂにおいても、第１実施形態に係る枕１Ａと同様の作用効果を奏する。
【００３１】
＜第２実施形態に係る枕１Ｃ＞
次に、第２実施形態に係る枕１Ｃについて説明する。図８は第２実施形態に係る枕１Ｃの内部構造を示す透視図、図９は第２実施形態に係る枕１ＣのＡ−Ａ断面図、図１０は第２実施形態に係る枕１Ｃの作用を示す図である。なお、第２実施形態に係る枕１Ｃにおいて、第１実施形態に係る枕１Ａと同じ構成については同じ符号を付して説明を省略する。
【００３２】
図８、及び図９に示すように、第２実施形態に係る枕１Ｃは、枕本体１１の内部における高さ方向の中間部分１１Ｍ（第１の高さ範囲）内に並列配置された複数（５本）の第１の棒状部材２１Ｃからなる第１の棒状部材群２２と、枕本体１１の内部における下側部分１１Ｌ（第１の高さ範囲とは異なる第２の高さ範囲）内に並列配置された複数（２本）の第２の棒状部材３１Ｃからなる第２の棒状部材群３２と、枕本体１１の内部における上側部分１１Ｕ（第１の高さ範囲を間に挟んで第２の高さ範囲とは高さ方向の反対側に位置する第３の高さ範囲）内に並列配置された複数（４本）の第３の棒状部材５１Ｃからなる第３の棒状部材群５２と、を備えている。
【００３３】
第２実施形態に係る枕１Ｃにおいて、枕本体１１は、第１実施形態に係る枕１Ａと同じく、例えば発泡ウレタン製の弾性体によって作製されており、枕本体１１の底面１１ｂの形状は、例えば横方向の幅が６３ｃｍ、縦方向の長さが４３ｃｍである横長四角形状であるが、これらの寸法に限定されない。
【００３４】
枕本体１１は、上面における縦方向の中間部分に、横方向に沿って延びる湾曲凹形状の凹部１１ｃを設けている。そして、凹部１１ｃよりも縦方向の一側（首元側）には、凹部１１ｃよりも肉厚の首元側突部１１ｄを横方向に沿って設け、凹部１１ｃよりも縦方向の他側（頭頂側）には、首元側突部１１ｄよりも肉厚の頭頂側突部１１ｅを横方向に沿って設けている。
枕本体１１において、凹部１１ｃの最薄部の厚さは８ｃｍであり、首元側突部１１ｄの最厚部の厚さは１０ｃｍであり、頭頂側突部１１ｅの最厚部の厚さは１２ｃｍであるが、各部の厚さはこれらの寸法に限定されない。
【００３５】
第１の棒状部材群２２を構成する複数の第１の棒状部材２１Ｃは、枕１Ｃの横方向に沿って配置され、且つ枕１Ｃの縦方向に沿って間隔を隔てて互いに平行に配置されている。
これに伴い、第１の貫通孔１２Ｃ（図９を参照）は枕本体１１の横方向に沿って枕本体１１を貫通し、且つ枕本体１１の縦方向に沿って間隔を隔てて平行に設けられている。例えば、各第１の貫通孔１２Ｃは円形断面の孔であり、孔の直径は１．１ｃｍ乃至１．２ｃｍである。そして、各第１の貫通孔１２Ｃは、枕本体１１の底面１１ｂから円形断面の中心までの高さが４ｃｍとなる位置に、縦方向に沿って７ｃｍの間隔を隔てて合計５個設けられている。
各第１の貫通孔１２Ｃは、線状の切断刃を枕本体１１の上面側から挿入し、当該切断刃を各第１の貫通孔１２Ｃの輪郭に沿って移動させることにより設けられる。これに伴い、各第１の貫通孔１２Ｃと枕本体１１の上面１１ａとの間には、第１のスリット１３Ｃ（図９を参照）が設けられる。
【００３６】
第２の棒状部材群３２を構成する複数（２本）の第２の棒状部材３１Ｃは、枕１Ｃの縦方向に沿って配置され、且つ枕１Ｃの横方向に沿って間隔を隔てて互いに平行に配置されている。
これに伴い、第２の貫通孔１４Ｃ（図９を参照）は枕本体１１の縦方向に沿って枕本体１１を貫通し、且つ枕本体１１の横方向に沿って間隔を隔てて平行に設けられている。例えば、２つの第２の貫通孔１４Ｃは、枕本体１１を縦方向に沿って貫く円形断面の孔であり、孔の直径は１．１ｃｍ乃至１．２ｃｍである。そして、各第２の貫通孔１４Ｃは、枕本体１１の底面１１ｂから円形断面の中心までの高さが２ｃｍとなる高さに設けられる。さらに、正面から見て左側に位置する第２の貫通孔１４Ｃは、例えば枕本体１１の左側面から円形断面の中心までの距離が２７ｃｍとなる位置に設けられており、正面から見て右側に位置する第２の貫通孔１４Ｃは、左隣の第２の貫通孔１４Ｃから右側に９ｃｍの間隔を隔てた位置に設けられている。
各第２の貫通孔１４Ｃは、線状の切断刃を枕本体１１の底面１１ｂ側から挿入し、当該切断刃を各第２の貫通孔１４Ｃの輪郭に沿って移動させることにより設けられる。これに伴い、各第２の貫通孔１４Ｃと枕本体１１の底面１１ｂとの間には、第２のスリット１５Ｃ（図９を参照）が設けられる。
【００３７】
第３の棒状部材群５２を構成する複数の第３の棒状部材５１Ｃは、枕１Ｃの縦方向に沿って配置され、且つ枕１Ｃの横方向に沿って間隔を隔てて互いに平行に配置されている。第２実施形態の枕１Ｃにおいて、第３の棒状部材５１Ｃは、枕本体１１の左側部分に２本、右側部分に２本配置されている。言い換えれば、複数の第３の棒状部材５１Ｃは、平面視において複数の第２の棒状部材３１Ｃが並列配置された範囲とは重ならない範囲内に並列配置されている。
【００３８】
第３の棒状部材５１Ｃは、第３の貫通孔１６Ｃ（図９を参照）内に着脱自在に装着される。従って、第３の貫通孔１６Ｃは枕本体１１の縦方向に沿って枕本体１１を貫通し、且つ枕本体１１の横方向に沿って間隔を隔てて平行に設けられている。例えば、４つの第３の貫通孔１６Ｃは円形断面の孔であり、孔の直径は１．１ｃｍ乃至１．２ｃｍである。そして、各第３の貫通孔１６Ｃは、枕本体１１の底面１１ｂから円形断面の中心までの高さが６ｃｍとなる高さに設けられる。
さらに、枕本体１１の左側部分に位置する２つの第３の貫通孔１６Ｃは、例えば枕本体１１の左側面から円形断面の中心までの距離が９ｃｍ、及び１８ｃｍとなる位置にそれぞれ設けられている。一方、枕本体１１の右側部分に位置する２つの第３の貫通孔１６Ｃは、例えば枕本体１１の右側面から円形断面の中心までの距離が９ｃｍ、及び１８ｃｍとなる位置にそれぞれ設けられている。
なお、各第３の貫通孔１６Ｃの本数、直径、及び高さは一例であり、上述した各数値に限定されない。例えば、各第３の貫通孔１６Ｃの直径を１．６ｃｍ乃至１．７ｃｍとしてもよい。この点は、後述する他の枕１Ｄ及び１Ｅにおいても同様である。
【００３９】
各第３の貫通孔１６Ｃは、線状の切断刃を枕本体１１の上面側から挿入し、当該切断刃を各第３の貫通孔１６Ｃの輪郭に沿って移動させることにより設けられる。従って、枕本体１１の上面１１ａと各第３の貫通孔１６Ｃとの間には第３のスリット１７Ｃ（図９を参照）が形成される。なお、各第３のスリット１７Ｃは、各第１のスリット１３Ｃと平面視において直交した方向に設けられている。
なお、各第３の貫通孔１６Ｃに関し、線状の切断刃を枕本体１１の底面１１ｂ側から挿入して設けてもよいし、枕本体１１の側面から筒状の切断刃を挿入して設けてもよい。この点は、後述する他の枕１Ｄ及び１Ｅにおいても同様である。
【００４０】
＜第２実施形態に係る枕１Ｃの作用効果＞
第２実施形態に係る枕１Ｃによれば、枕本体１１の内部において、複数の第１の棒状部材２１Ｃよりも上方に、平面視において各第１の棒状部材２１Ｃと交差した複数の第３の棒状部材５１Ｃを並列配置しているので、各第３の棒状部材１６Ｃによっても頭部ＨＤの重さによる下向きの荷重を効率よく分散させることができる。
さらに、当該枕１Ｃによれば、複数の第３の棒状部材５１Ｃは、平面視において複数の第２の棒状部材３１Ｃが並列配置された範囲とは重ならない範囲内に並列配置されているので、枕１Ｃには、各第３の棒状部材５１Ｃと各第１の棒状部材２１Ｃとが交差する部分と、各第１の棒状部材２１Ｃと各第２の棒状部材３１Ｃとが交差する部分とが設けられ、各部分によって頭部ＨＤを支持する高さを異ならせることができる。
【００４１】
例えば、図１０に示すように、使用者の後頭部ＨＤが枕１Ｃの上面に載せられると、枕１Ｃには頭部ＨＤの重さによって下向きの荷重が加わる。
使用者が仰向けの仰臥姿勢で寝ているとき、使用者の後頭部ＨＤの下方には各第１の棒状部材２１Ｃが位置し、各第１の棒状部材２１Ｃの下方に各第２の棒状部材３１Ｃが位置する。使用者が横向きの横臥姿勢で寝ているとき、使用者の側頭部ＨＤの下方には各第３の棒状部材５１Ｃが位置し、各第３の棒状部材５１Ｃの下方に各第１の棒状部材２１Ｃが位置する。
横臥姿勢で寝ているときの頸部は、仰臥姿勢で寝ているときの頸部よりも高い位置になる。
第２実施形態に係る枕１Ｃでは、各第３の棒状部材５１Ｃが各第１の棒状部材２１Ｃよりも上方に位置しているので、横臥姿勢で寝ているときの頭部ＨＤを、仰臥姿勢で寝ているときの頭部ＨＤよりも高い位置で支持できる。横臥姿勢における頭部ＨＤを仰臥姿勢の頭部ＨＤよりも高い位置で支持することにより、頸部にかかる負担を軽減できる。
【００４２】
＜第２実施形態の変形例に係る枕１Ｄ＞
次に、第２実施形態の変形例に係る枕１Ｄの変形例について説明する。図１１は第２実施形態の変形例に係る枕１Ｄの内部構造を示す透視図、図１２は第２実施形態の変形例に係る枕１ＤのＢ−Ｂ断面図である。なお、変形例に係る枕１Ｄにおいて、第２実施形態に係る枕１Ｃと同じ構成については同じ符号を付して説明を省略する。
図１１、及び図１２に示すように、変形例に係る枕１Ｄは、第２実施形態に係る枕１Ｃと同様に、枕本体１１の内部における上側部分１１Ｕ（第３の高さ範囲）内に並列配置された複数の第３の棒状部材５１からなる第３の棒状部材群５２を備えている。但し、変形例に係る枕１Ｄは、各第１の棒状部材２１Ｄが枕本体１１の縦方向に沿って並列配置され、各第２の棒状部材３１Ｄ、及び各第３の棒状部材５１Ｄが枕本体１１の横方向に沿って並列配置されている点が第２実施形態に係る枕１Ｃと相違している。
【００４３】
第１の棒状部材群２２を構成する複数の第１の棒状部材２１Ｄは、枕１Ｄの縦方向に沿って配置され、且つ枕１Ｄの横方向に沿って間隔を隔てて互いに平行に配置されている。
これに伴い、第１の貫通孔１２Ｄ（図１２を参照）は枕本体１１の縦方向に沿って枕本体１１を貫通し、且つ枕本体１１の横方向に沿って間隔を隔てて平行に設けられている。例えば、各第１の貫通孔１２Ｄは円形断面の孔であり、孔の直径は１．１ｃｍ乃至１．２ｃｍである。そして、各第１の貫通孔１２Ｄは、枕本体１１の底面１１ｂから円形断面の中心までの高さが４ｃｍとなる位置に、横方向に沿って９ｃｍの間隔を隔てて合計６個設けられている。
各第１の貫通孔１２Ｄは、線状の切断刃を枕本体１１の上面１１ａ側から挿入し、当該切断刃を各第１の貫通孔１２Ｄの輪郭に沿って移動させることにより設けられる。これに伴い、各第１の貫通孔１２Ｄと枕本体１１の上面１１ａとの間には、第１のスリット１３Ｄ（図１２を参照）が設けられる。
【００４４】
第２の棒状部材群３２を構成する複数（３本）の第２の棒状部材３１Ｄは、枕１の横方向に沿って配置され、且つ枕１の縦方向に沿って間隔を隔てて互いに平行に配置されている。
これに伴い、第２の貫通孔１４Ｄは枕本体１１の横方向に沿って枕本体１１を貫通し、且つ枕本体１１の縦方向に沿って間隔を隔てて平行に設けられている。例えば、各第２の貫通孔１４Ｄは円形断面の孔であり、孔の直径は１．１ｃｍ乃至１．２ｃｍである。そして、各第２の貫通孔１４Ｄは、枕本体１１の底面１１ｂから円形断面の中心までの高さが２ｃｍとなる位置に３個平行に設けられている。例えば、最も首元側に位置する第２の貫通孔１４Ｄは、枕本体１１の首元側の端から縦方向に沿って円形断面の中心までの距離が６ｃｍとなる位置に設けられる。また、首元側から２つ目の第２の貫通孔１４Ｄは、例えば最も首元側の第２の貫通孔１４Ｄから縦方向に沿って１４ｃｍ離れた位置に設けられている。同様に、首元側から３つ目の第２の貫通孔１４Ｄは、例えば２つ目の第２の貫通孔１４Ｄから縦方向に沿って７ｃｍ離れた位置に設けられている。
各第２の貫通孔１４Ｄは、線状の切断刃を枕本体１１の底面１１ｂ側から挿入し、当該切断刃を各第２の貫通孔１４Ｄの輪郭に沿って移動させることにより設けられる。これに伴い、各第２の貫通孔１４Ｄと枕本体１１の底面１１ｂとの間には、第２のスリット１５Ｄ（図１２を参照）が設けられる。
【００４５】
第３の棒状部材群５２を構成する複数（２本）の第３の棒状部材５１Ｄは、枕１の横方向に沿って配置され、且つ枕１の縦方向に沿って間隔を隔てて互いに平行に配置されている。
これに伴い、第３の貫通孔１６Ｄは枕本体１１の横方向に沿って枕本体１１を貫通し、且つ枕本体１１の縦方向に沿って間隔を隔てて平行に設けられている。例えば、各第３の貫通孔１６Ｄは、枕本体１１を横方向に沿って貫く円形断面の孔であり、孔の直径は１．１ｃｍ乃至１．２ｃｍである。
そして、首元側に位置する第３の貫通孔１６Ｄは、例えば枕本体１１の底面１１ｂから円形断面の中心までの高さが６ｃｍ、且つ枕本体１１の首元側の端から縦方向に沿って円形断面の中心までの距離が１３ｃｍとなる位置に設けられる。また、頭頂側に位置する第３の貫通孔１６Ｄは、例えば枕本体１１の底面１１ｂから円形断面の中心までの高さが８ｃｍ、且つ首元側に位置する第３の貫通孔１６Ｄから縦方向に沿って２１ｃｍ離れた位置に設けられている。
各第３の貫通孔１６Ｄは、線状の切断刃を枕本体１１の上面１１ａ側から挿入し、当該切断刃を各第３の貫通孔１６Ｄの輪郭に沿って移動させることにより設けられる。これに伴い、各第３の貫通孔１６Ｄと枕本体１１の上面１１ａとの間には、第３のスリット１７Ｄ（図１２を参照）が設けられる。
【００４６】
変形例に係る枕１Ｄにおいては、仰臥姿勢の使用者の後頭部を各第１の棒状部材２１Ｄと各第２の棒状部材３１Ｄによって支えることができ、当該使用者の頸部、及び頭頂部を各第３の棒状部材５１Ｄと各第１の棒状部材２１Ｄとによって支えることができる。その結果、頸部の負担を軽減することができ、寝心地を向上させることができる。
【００４７】
＜第３実施形態に係る枕１Ｅ＞
次に、第３実施形態に係る枕１Ｅについて説明する。図１３は第３実施形態に係る枕１Ｅを示す断面図である。なお、第３実施形態に係る枕１Ｅにおいて、前述の各実施形態に係る枕１Ａ乃至枕１Ｄと同じ構成については同じ符号を付して説明を省略する。
【００４８】
図１３に示すように、第３実施形態に係る枕１Ｅは、第２実施形態に係る枕１Ｃと同様に、第１の棒状部材群２２、第２の棒状部材群３２、及び第３の棒状部材群５２を備えている。
第３実施形態に係る枕１Ｅにおいて、第１の棒状部材群２２を構成する複数の第１の棒状部材２１Ｅは、枕本体１１の縦方向に沿って配置され、且つ枕本体１１の横方向に沿って間隔を隔てて配置されている。さらに、各第１の棒状部材２１Ｅは、枕本体１１の底面１１ｂに対して傾斜して配置されている。図１３の例において、各第１の棒状部材２１Ｅは、首元側の端部が頭頂側の端部よりも低い位置（枕本体１１の底面１１ｂに近い位置）となるように傾斜して配置されている。
【００４９】
各第１の棒状部材２１Ｅは、各第１の貫通孔１２Ｅに対して着脱自在に装着される。各第１の貫通孔１２Ｅは、線状の切断刃を枕本体１１の上面１１ａ側から挿入し、当該切断刃を各第１の貫通孔１２Ｅの輪郭に沿って移動させることにより設けられる。従って、枕本体１１の上面１１ａと各第１の貫通孔１２Ｅとの間には第１のスリット１３Ｅが形成される。
【００５０】
第２の棒状部材群３２を構成する複数の第２の棒状部材３１Ｅは、枕本体１１の横方向に沿って配置されている。図１３の例では、３本の第２の棒状部材３１Ｅは、枕本体１１の頭頂側部分であって各第１の棒状部材２１Ｅよりも下側において、枕本体１１の縦方向に沿って間隔を隔てて配置されている。
各第２の棒状部材３１Ｅは、各第２の貫通孔１４Ｅに対して着脱自在に装着される。各第２の貫通孔１４Ｅは、線状の切断刃を枕本体１１の底面１１ｂ側から挿入し、当該切断刃を各第２の貫通孔１４Ｅの輪郭に沿って移動させることにより設けられる。従って、枕本体１１の底面１１ｂと各第２の貫通孔１４Ｅとの間には第２のスリット１５Ｅが形成される。
【００５１】
第３の棒状部材群５２を構成する複数の第３の棒状部材５１Ｅは、枕本体１１の横方向に沿って配置されている。図１３の例において、２本の第３の棒状部材５１Ｅが枕本体１１の首元側部分１１ｄに配置されている。これらの第３の棒状部材５１Ｅは、枕本体１１の縦方向に沿って間隔を隔てて配置されている。また、２本の第３の棒状部材５１Ｅが枕本体１１の頭頂側部分１１ｅに配置されている。これらの第３の棒状部材５１Ｅもまた、枕本体１１の縦方向に沿って間隔を隔てて配置されている。
各第３の棒状部材５１Ｅは、各第３の貫通孔１６Ｅに対して着脱自在に装着される。各第３の貫通孔１６Ｅは、線状の切断刃を枕本体１１の上面１１ａ側から挿入し、当該切断刃を各第３の貫通孔１６Ｅの輪郭に沿って移動させることにより設けられる。
従って、枕本体１１の上面１１ａと各第３の貫通孔１６Ｅとの間には第３のスリット１７Ｅが形成される。
【００５２】
第３実施形態に係る枕１Ｅでは、３本の第２の棒状部材３１Ｅと枕本体１１の頭頂側部分１１ｅに配置された２本の第３の棒状部材５１Ｅとが枕本体１１に対して着脱自在な構成を有している。このため、枕本体１１に対して、各第２の棒状部材３１Ｅと各第３の棒状部材５１Ｅとを選択的に装着することができる。
その結果、この枕１では、使用者の頭部ＨＤが受ける押圧感を細かく調整することができる。
【００５３】
＜第４実施形態に係る枕１Ｆ＞
次に、第４実施形態に係る枕１Ｆについて説明する。図１４は、第４実施形態に係る枕１Ｆを示す断面図である。なお、第４実施形態に係る枕１Ｆにおいて、前述の各実施形態に係る枕１Ａ乃至１Ｅと同じ構成については同じ符号を付して説明を省略する。
第４実施形態に係る枕１Ｆは、第１実施形態の枕１Ａと同様に、複数の第１の棒状部材２１Ｆからなる第１の棒状部材群２２と、複数の第２の棒状部材３１Ｆからなる第２の棒状部材群３２と、を備えている。各第１の棒状部材２１Ｆは、第１のスリット１３Ｆを通じて各第１の貫通孔１２Ｆに対して着脱自在である。各第２の棒状部材３１Ｆは、第１のスリット１５Ｆを通じて各第２の貫通孔１４Ｆに対して着脱自在である。
第４実施形態に係る枕１Ｆは、デザインカットによって表面に複数の突起を形成した弾性シート４２を枕本体１１の上面１１ａに貼設した点が特徴になっている。弾性シート４２は、例えば厚さが２ｃｍ乃至５ｃｍのウレタンシートを用いることができる。
第４実施形態に係る枕１は、複数の突起を形成した弾性シート４２を枕本体１１の上面１１ａに貼設しているため、使用者の頭部ＨＤを点で支えることができ、クッション性や通気性を高めることができる。
【００５４】
＜第５実施形態に係る枕１Ｇ＞
次に、第５実施形態に係る枕１Ｇについて説明する。図１５は、第５実施形態に係る枕１Ｇを示す透視図である。
第１実施形態乃至第４実施形態に係る枕１Ａ乃至１Ｆにおいて、各棒状部材２１Ａ乃至２１Ｆ、３１Ａ乃至３１Ｇは、枕本体１１の横方向、又は縦方向に沿って配置されていたが、本発明に係る枕はこれらの構成に限定されない。
第５実施形態に係る枕１Ｇは、扁平且つ横長な直方体形状の枕本体１１’と、枕本体１１’の内部の上側部分１１Ｕ（第１の高さ範囲）内に並列配置され、且つ複数の第１の棒状部材２１Ｇからなる第１の棒状部材群２２と、枕本体１１’の内部の下側部分１１Ｌ（第２の高さ範囲）内に並列配置され、且つ複数の第２の棒状部材３１Ｇからなる第２の棒状部材群３２と、を備えている。
【００５５】
第５実施形態に係る枕１Ｇにおいて、複数の第１の棒状部材２１Ｇは、枕本体１１’の首元側端縁から枕本体１１’の右側縁に向けて斜めに配置されている。そして、各第１の棒状部材２１Ｇは、互いに平行に配置されており、且つ枕本体１１’の底面１１ｂに対しても平行に配置されている。一方、複数の第２の棒状部材３１Ｇは、枕本体１１’の首元側端部から枕本体１１’の左側縁に向けて斜めに配置されている。そして、各第２の棒状部材３１Ｇは、互いに平行に配置されており、且つ枕本体１１’の底面１１ｂに対しても平行に配置されている。
この枕１Ｇにおいても、複数の第１の棒状部材２１Ｇが撓むことにより、複数の第１の棒状部材２１Ｇの下方に位置する複数の第２の棒状部材３１Ｇが荷重を受ける。すなわち、頭部ＨＤの重さによる下向きの荷重は、複数の第１の棒状部材２１Ｇと複数の第２の棒状部材３１Ｇとによって分散される。
その結果、頭部ＨＤに与えられる押圧感が低減され、寝心地を向上させることができる。
【００５６】
＜第６実施形態に係る枕１Ｈ＞
次に、第６実施形態に係る枕１Ｈについて説明する。図１６は、第６実施形態に係る枕１Ｈを示す透視図である。
第１実施形態乃至第５実施形態に係る枕１Ａ乃至１Ｇにおいて、同じ棒状部材群２２、３２に属する各棒状部材２１Ａ乃至２１Ｇ、３１Ａ乃至３１Ｇは互いに平行に配置されていたが、本発明に係る枕はこれらの構成に限定されない。
第６実施形態に係る枕１Ｈは、扁平且つ横長な直方体形状の枕本体１１’と、枕本体１１’の内部の上側部分１１Ｕ（第１の高さ範囲）内に並列配置され、且つ複数の第１の棒状部材２１Ｈからなる第１の棒状部材群２２と、枕本体１１’の内部の下側部分１１Ｌ（第２の高さ範囲）内に並列配置され、且つ複数の第２の棒状部材３１Ｈからなる第２の棒状部材群３２と、を備えている。
【００５７】
第６実施形態に係る枕１Ｈにおいて、複数の第１の棒状部材２１Ｈ、及び複数の第２の棒状部材３１Ｈは互いに平行に配置されていない。例えば、各第１の棒状部材２１Ｈ、及び各第２の棒状部材３１Ｈは平面視において略Ｗ字形状に配置されている。なお、各第１の棒状部材２１Ｈ、及び各第２の棒状部材３１Ｈは枕本体１１の底面１１ｂに対しては平行に配置されている。
この枕１Ｈにおいても、複数の第１の棒状部材２１Ｈが撓むことにより、複数の第１の棒状部材２１Ｈの下方に位置する複数の第２の棒状部材３１Ｈが荷重を受ける。すなわち、頭部ＨＤの重さによる下向きの荷重は、複数の第１の棒状部材２１Ｈと複数の第２の棒状部材３１Ｈとによって分散される。
その結果、頭部ＨＤに与えられる押圧感が低減され、寝心地を向上させることができる。
【００５８】
＜その他の変形例＞
前述の各実施形態において、各第１の棒状部材２１Ａ乃至２１Ｈ、及び各第２の棒状部材３１Ａ乃至３１Ｈは中実の丸棒形状、又は円筒棒形状であったが、この構成に限定されない。例えば、図１７に示すように、各第１の棒状部材２１Ａ乃至２１Ｈ、及び各第２の棒状部材３１Ａ乃至３１Ｈは、枕本体１１よりも硬質の材料で作製されていれば、断面が三角形形状の棒状部材２１ｄ、３１ｄであってもよいし、断面が四角形形状の棒状部材２１ｅ、３１ｅであってもよいし、断面が五角形形状の棒状部材２１ｆ、３１ｆであってもよい。また、第３の棒状部材５１Ｃ乃至５１Ｅについても同様である。
また、各第１の棒状部材２１Ａ乃至２１Ｈ、及び各第２の棒状部材３１Ａ乃至３１Ｈの少なくとも一部を枕本体１１、１１’から着脱不能に構成してもよい。
【００５９】
前述の各実施形態に記載された技術は支障が無い限り、他の実施形態に適用することもできる。例えば、第４実施形態に係る枕１Ｆに記載された弾性シート４２を、他の実施形態に係る枕１Ａ乃至１Ｄ、１Ｆ乃至１Ｈに適用してもよい。
前述の各実施形態において、枕本体１１、１１’は発泡ウレタン製の弾性体によって作製されていたが、他の種類の発泡樹脂製の弾性体によって作製されていてもよい。また、枕本体１１、１１’は、発泡樹脂以外の弾性体で作製されていてもよい。
また、上述した枕１Ｃ、１Ｄ、及び１Ｅにおいて、第３の棒状部材群５２は第１の棒状部材群２２よりも上側に設けられ、第２の棒状部材群３２は第１の棒状部材群２２よりも下側に設けられていたが、この構成に限定されない。例えば、第３の棒状部材群５２を第１の棒状部材群２２よりも下側に設け、第２の棒状部材群３２を第１の棒状部材群２２よりも上側に設けてもよい。同様に、枕１Ｆ、１Ｇ、及び１Ｈにおいて、第２の棒状部材群３２を第１の棒状部材群２２よりも上側に設けてもよい。
【００６０】
[本発明の実施態様例と作用、効果のまとめ]
＜第一の実施態様＞
本態様に係る枕１（１Ａ乃至１Ｈ）は、弾性体によって形成された枕本体１１と、枕本体１１の内部の第１の高さ範囲内に並列配置された複数の第１の棒状部材２１（２１Ａ乃至２１Ｈ）からなる第１の棒状部材群２２と、枕本体１１の内部の前記第１の高さ範囲とは異なる第２の高さ範囲内に並列配置された複数の第２の棒状部材３１（３１Ａ乃至３１Ｈ）からなる第２の棒状部材群３２と、を備え、複数の第１の棒状部材２１、及び複数の第２の棒状部材３１は、枕本体１１よりも硬質な材料で作製され、複数の第２の棒状部材３１は、平面視において複数の第１の棒状部材２１と交差して配置されていることを特徴とする。
本態様に係る枕１によれば、使用者の頭部ＨＤが枕１の上面１１ａに載せられると、枕１には頭部ＨＤの重さによって下向きの荷重が加わり、複数の第１の棒状部材２１は下方向に撓み、複数の第２の棒状部材３１も荷重を受ける。このように、頭部ＨＤの重さによる下向きの荷重は、荷重伝達部材としての複数の第１の棒状部材２１と複数の第２の棒状部材３１とによって分散されるため、頭部ＨＤに与えられる押圧感が低減され、寝心地を向上させることができる。
【００６１】
＜第二の実施態様＞
本態様に係る枕１において、複数の第１の棒状部材２１は、第１の方向に沿って延び、且つ平面視において互いに平行に配置され、複数の第２の棒状部材３１は、第１の方向とは異なる第２の方向に沿って延び、且つ平面視において互いに平行に配置されていることを特徴とする。
本態様に係る枕１によれば、複数の第１の棒状部材２１が互いに平行に配置され、且つ複数の第２の棒状部材３１が互いに平行に配置されているので、頭部ＨＤの重さによる下向きの荷重を効率よく分散させることができる。
【００６２】
＜第三の実施態様＞
本態様に係る枕１において、第１の方向は枕１の縦方向であり、且つ第２の方向は枕１の横方向である、ことを特徴とする。
本態様に係る枕１によれば、格子状に配置された各第１の棒状部材２１、及び各第２の棒状部材３１によって頭部ＨＤの重さによる下向きの荷重を効率よく分散させることができる。
【００６３】
＜第四の実施態様＞
本態様に係る枕１において、複数の第１の棒状部材２１、及び複数の第２の棒状部材３１の少なくとも一部分は、枕本体１１に対して着脱自在な構成を有する、ことを特徴とする。
本態様に係る枕１によれば、枕１の硬さを使用者の好みに応じて調整することができる。
【００６４】
＜第五の実施態様＞
本態様に係る枕１において、枕本体１１の内部の前記第１の高さ範囲を間に挟んで第２の高さ範囲とは高さ方向の反対側に位置する第３の高さ範囲内に並列配置された複数の第３の棒状部材５１（５１Ｃ乃至５１Ｅ）からなる第３の棒状部材群５２を、さらに備え、複数の第３の棒状部材５１は、平面視において複数の第１の棒状部材２１と交差していることを特徴とする。
本態様に係る枕１によれば、複数の第３の棒状部材５１によっても頭部ＨＤの重さによる下向きの荷重を効率よく分散させることができる。
【００６５】
＜第六の実施態様＞
本態様に係る枕１において、複数の第３の棒状部材５１は、平面視において複数の第２の棒状部材３１が並列配置された範囲とは重ならない範囲内に並列配置されている、ことを特徴とする。
本態様に係る枕１によれば、各第１の棒状部材２１と各第３の棒状部材５１とによって下向きの荷重を受ける部分と、各第１の棒状部材２１と各第２の棒状部材３１とによって下向きの荷重を受ける部分との間で、頭部ＨＤを支持する高さに変化を与えることができる。
【００６６】
＜第七の実施態様＞
本態様に係る枕１において、複数の第３の棒状部材５１は、平面視において複数の第２の棒状部材３１が並列配置された範囲と重なった範囲内に並列配置されており、複数の第３の棒状部材５１、及び複数の第３の棒状部材５１の配置範囲と重なった範囲内に配置された第２の棒状部材３１は、枕本体１１に対して着脱自在な構成を有する、ことを特徴とする。
本態様に係る枕１によれば、枕本体１１に対して、各第２の棒状部材３１と各第３の棒状部材５１とを選択的に装着することができるため、頭部ＨＤが受ける押圧感を細かく調整することができる。
【符号の説明】
【００６７】
１Ａ…第１実施形態の枕，１１…枕本体，１１Ｕ…枕本体の上側部分，１１Ｌ…枕本体の下側部分，１１ａ…枕本体の上面，１１ｂ…枕本体の底面，１１ｃ…枕本体の凹部，１１ｄ…枕本体の首元側突部，１１ｅ…枕本体の頭頂側突部，１２Ａ…第１の貫通孔，１３Ａ…第１のスリット，１４Ａ…第２の貫通孔，１５Ａ…第２のスリット，２１Ａ…第１の棒状部材，２１ａ…ＥＶＡ製の第１の棒状部材，２１ｂ…木製の第１の棒状部材２１ｃ…金属パイプ製の第１の棒状部材，２２…第１の棒状部材群，２３…第１の閉塞棒状部材，３１Ａ…第２の棒状部材，３１ａ…ＥＶＡ製の第２の棒状部材，３１ｂ…木製の第２の棒状部材，３１ｃ…金属パイプ製の第２の棒状部材，３２…第２の棒状部材群，３３…第２の閉塞棒状部材，４１…硬質シート，１Ｂ…第１実施形態の変形例に係る枕，１２Ｂ…第１の貫通孔，１３Ｂ…第１のスリット，１４Ｂ…第２の貫通孔，１５Ｂ…第２のスリット，２１Ｂ…第１の棒状部材，３１Ｂ…第２の棒状部材，１Ｃ…第２実施形態に係る枕，１１Ｕ…枕本体の上側部分，１１Ｍ…枕本体の中間部分，１１Ｌ…枕本体の下側部分，１２Ｃ…第１の貫通孔，１３Ｃ…第１のスリット，１４Ｃ…第２の貫通孔，１５Ｃ…第２のスリット，１６Ｃ…第３の貫通孔，１７Ｃ…第３のスリット，２１Ｃ…第１の棒状部材，３１Ｃ…第２の棒状部材，５１Ｃ…第３の棒状部材，５２…第３の棒状部材群，１Ｄ…第２実施形態の変形例に係る枕，１２Ｄ…第１の貫通孔，１３Ｄ…第１のスリット，１４Ｄ…第２の貫通孔，１５Ｄ…第２のスリット，１６Ｄ…第３の貫通孔，１７Ｄ…第３のスリット，２１Ｄ…第１の棒状部材，３１Ｄ…第２の棒状部材，５１Ｄ…第３の棒状部材，１Ｅ…第３実施形態に係る枕，１２Ｅ…第１の貫通孔，１３Ｅ…第１のスリット，１４Ｅ…第２の貫通孔，１５Ｅ…第２のスリット，１６Ｅ…第３の貫通孔，１７Ｅ…第３のスリット，２１Ｅ…第１の棒状部材，３１Ｅ…第２の棒状部材，５１Ｅ…第３の棒状部材，１Ｆ…第４実施形態に係る枕，１２Ｆ…第１の貫通孔，１３Ｆ…第１のスリット，１４Ｆ…第２の貫通孔，１５Ｆ…第２のスリット，２１Ｆ…第１の棒状部材，３１Ｆ…第２の棒状部材，４２…弾性シート，１Ｇ…第５実施形態に係る枕，１１’…枕本体，２１Ｇ…第１の棒状部材，２２…第１の棒状部材群，３１Ｇ…第２の棒状部材，３２…第２の棒状部材群，１Ｈ…第６実施形態に係る枕，１１’ …枕本体，２１Ｈ…第１の棒状部材，２２…第１の棒状部材群，３１Ｈ…第２の棒状部材，３２…第２の棒状部材群
【要約】
【課題】寝心地を向上させ得る枕を提供する。
【解決手段】枕１Ａは、弾性体によって形成された枕本体１１と、枕本体１１の内部の第１の高さ範囲内に並列配置された複数の第１の棒状部材２１Ａからなる第１の棒状部材群２２と、枕本体１１の内部の第１の高さ範囲とは異なる第２の高さ範囲内に並列配置された複数の第２の棒状部材３１Ａからなる第２の棒状部材群３２と、を備える。複数の第１の棒状部材２１Ａ、及び複数の第２の棒状部材３１Ａは、枕本体１１よりも硬質な材料で作製されている。複数の第２の棒状部材３１Ａは、平面視において複数の第１の棒状部材２１Ａと交差して配置されている。
【選択図】図２【図１】
0006932406.tif 000002
【図２】
0006932406.tif 000003
【図３】
0006932406.tif 000004
【図４】
0006932406.tif 000005
【図５】
0006932406.tif 000006
【図６】
0006932406.tif 000007
【図７】
0006932406.tif 000008
【図８】
0006932406.tif 000009
【図９】
0006932406.tif 000010
【図１０】
0006932406.tif 000011
【図１１】
0006932406.tif 000012
【図１２】
0006932406.tif 000013
【図１３】
0006932406.tif 000014
【図１４】
0006932406.tif 000015
【図１５】
0006932406.tif 000016
【図１６】
0006932406.tif 000017
【図１７】
0006932406.tif 000018